【手続補正書】
【提出日】平成17年5月10日(2005.5.10)
【手続補正１】
【補正対象書類名】明細書
【補正対象項目名】特許請求の範囲
【補正方法】変更
【補正の内容】
【特許請求の範囲】
【請求項１】
（ａ）（ｉ）式（Ｉ）：
【化１】
2003049110.tif 000001
〔式中、ＸおよびＹは、基（Ａ）：
【化２】
2003049110.tif 000002
（式中、Ｘ′は、重合開始剤からフリーラジカルＸ・として開裂可能であり、かつエチレン性不飽和単量体の重合を開始することができる）
を有する重合開始剤の断片からの連鎖末端基を表すか、または
ＸおよびＹの一方が、フリーラジカル開始剤の断片を表し、他方が、遊離ニトロキシルラジカル（Ｂ）：
【化３】
2003049110.tif 000003
からの連鎖末端基を表し、
ＡおよびＢは、エチレン性不飽和単量体の非イオン性繰返し単位で構成される異なる重合体ブロックを表し、重合体ブロックＡもしくはＢの一方が、イオン性基で置換されたエチレン性不飽和単量体の繰返し単位をさらに有し；
ｘおよびｙは、０より大きい数を表し、かつ重合体ブロックＡおよびＢ中の単量体繰返し単位の数を規定する〕
で示されるブロック共重合体、ならびに
（ii）塩形成成分
より本質的になる分散剤の組合せ０．１〜９９．９重量％と、
（ｂ）分散性無機または有機顔料粒子０．１〜９９．９重量％と
を含む組成物。
【請求項２】
基（Ａ）を有する重合開始剤が、式（II）：
【化４】
2003049110.tif 000004
〔式中、Ｘ″は、式（II）で示される化合物からフリーラジカルＸ・として開裂可能であり、かつエチレン性不飽和単量体の重合を開始することができるか；またはフリーラジカル開始剤の断片を表し；
Ｒ1およびＲ2の一方は、Ｃ1〜Ｃ7アルキルもしくはヒドロキシＣ1〜Ｃ7アルキルを表し、他方は、Ｃ1〜Ｃ4アルキル、またはＣ1〜Ｃ4アルコキシカルボニルもしくはＣ1〜Ｃ4アルコキシで置換されたＣ1〜Ｃ4アルキル、またはヒドロキシＣ1〜Ｃ4アルキルを表すか；あるいは
Ｒ1およびＲ2は、双方とも、隣接するＣ原子と一緒に、Ｃ3〜Ｃ7シクロアルキルを表し；
Ｒ3およびＲ4は、独立に、Ｒ1およびＲ2として定義されたとおりであるか、または水素を表し；
Ｒaは、水素、またはＣ1〜Ｃ4アルキル、ヒドロキシＣ1〜Ｃ4アルキル、Ｃ5〜Ｃ10アリール、Ｃ5〜Ｃ10アリールＣ1〜Ｃ4アルキル、Ｃ1〜Ｃ4アルキルＣ5〜Ｃ10アリール、シアノ、Ｃ1〜Ｃ4アルコキシカルボニル、Ｃ1〜Ｃ4アルカノイルオキシ、Ｃ1〜Ｃ4アルカノイルオキシＣ1〜Ｃ4アルキル、カルバモイル、モノ−もしくはジ−Ｃ1〜Ｃ4アルキルカルバモイル、モノ−もしくはジ−２−ヒドロキシエチルカルバモイル、アミジノ、２−イミダゾリル、１−ヒドロキシ−２−ヒドロキシメチル−２−プロピルカルバモイル、１，１−ジヒドロキシメチル−２−ヒドロキシカルバモイルおよび−Ｐ＝Ｏ（Ｏ−Ｃ1〜Ｃ4アルキル）2よりなる群から選ばれる置換基を表し；
Ｒbは、Ｒaについて定義されたとおりであるか；あるいは
ＲaおよびＲbは、一緒に、２価の基を表し、かつ窒素、酸素および硫黄よりなる群から選ばれる１〜３個の追加のヘテロ原子を有してよい、五、六、七または八員の脂肪族もしくは芳香族複素環の基を形成する〕
で表される請求項１記載の組成物。
【請求項３】
重合体ブロックＡおよびＢの一方が、スチレン、アクリルおよびＣ1〜Ｃ4アルキルアクリル酸Ｃ1〜Ｃ24アルキルエステル、アクリルおよびＣ1〜Ｃ4アルキルアクリル酸Ｃ6〜Ｃ11アリールＣ1〜Ｃ4アルキルエステル、アクリルおよびＣ1〜Ｃ4アルキルアクリル酸Ｃ6〜Ｃ11アリールオキシＣ1〜Ｃ4アルキルエステル、アクリルおよびＣ1〜Ｃ4アルキルアクリル酸−ヒドロキシＣ2〜Ｃ6アルキルエステル、アクリルおよびＣ1〜Ｃ4アルキルアクリル酸ポリヒドロキシＣ3〜Ｃ6アルキルエステル、アクリルおよびＣ1〜Ｃ4アルキルアクリル酸（Ｃ1〜Ｃ4アルキル）3シリルオキシＣ2〜Ｃ4アルキルエステル；アクリルおよびＣ1〜Ｃ4アルキルアクリル酸（Ｃ1〜Ｃ4アルキル）3シリルＣ1〜Ｃ4アルキルエステル；アクリルおよびＣ1〜Ｃ4アルキルアクリル酸ヘテロシクリルＣ2〜Ｃ4アルキルエステル；エステル基がＣ1〜Ｃ24アルコキシ基で置換されていてよいポリＣ2〜Ｃ4アルキレングリコールエステル基を有するアクリルおよびＣ1〜Ｃ4アルキルアクリル酸エステル、アクリルおよびメタクリル酸アミド、アクリルおよびＣ1〜Ｃ4アルキルアクリル酸（Ｃ1〜Ｃ4アルキル）1〜2アミド、アクリロニトリル、マレイン酸もしくはフマル酸のエステル、マレインイミド並びにＮ−置換マレインイミドよりなる群から選ばれる、エチレン性不飽和単量体の繰返し単位で本質的に構成される請求項１記載の組成物。
【請求項４】
重合体ブロックＡおよびＢの一方が、スチレン、アクリルおよびメタクリル酸Ｃ1〜Ｃ24アルキルエステル、アクリルおよびメタクリル酸ヒドロキシＣ2〜Ｃ6アルキルエステル、アクリルおよびメタクリル酸ジヒドロキシＣ3〜Ｃ4アルキルエステル、並びにエステル基がＣ1〜Ｃ24アルコキシ基で置換されていてよいポリＣ2〜Ｃ4アルキレングリコールエステル基を有するアクリルおよびメタクリル酸エステルよりなる群から選ばれる、エチレン性不飽和単量体の繰返し単位で本質的に構成される請求項１記載の組成物。
【請求項５】
重合体ブロックＡおよびＢの一方に存在するイオン性基で置換されたエチレン性不飽和単量体の繰返し単位が、式（III）：
【化５】
2003049110.tif 000005
〔式中、Ｒ1は、水素またはＣ1〜Ｃ4アルキルを表し；
Ｒ2は、−ＯＨ；カルボキシル、スルホもしくはホスホノで置換されたＣ1〜Ｃ4アルキル；またはアミノＣ2〜Ｃ18アルコキシ、Ｃ1〜Ｃ4アルキルアミノＣ2〜Ｃ18アルコキシ、ジＣ1〜Ｃ4アルキルアミノＣ2〜Ｃ18アルコキシ、ヒドロキシＣ2〜Ｃ4アルキルアミノＣ2〜Ｃ18アルコキシおよびＣ1〜Ｃ4アルキル（ヒドロキシＣ2〜Ｃ4アルキル）アミノＣ2〜Ｃ18アルコキシよりなる群から選ばれるアミノ置換Ｃ2〜Ｃ18アルコキシを表す〕
で示される化合物から形成された塩の陽イオンまたは陰イオン性部分で表される請求項１記載の組成物。
【請求項６】
重合体ブロックＡおよびＢの一方に存在するイオン性基で置換されたエチレン性不飽和単量体の繰返し単位が、
Ｒ1が、水素またはメチルを表し；
Ｒ2が、アミノＣ2〜Ｃ4アルコキシ、Ｃ1〜Ｃ4アルキルアミノＣ2〜Ｃ4アルコキシ、ジＣ1〜Ｃ4アルキルアミノＣ2〜Ｃ4アルコキシ、ヒドロキシＣ2〜Ｃ4アルキルアミノＣ2〜Ｃ18アルコキシおよびＣ1〜Ｃ4アルキル（ヒドロキシＣ2〜Ｃ4アルキル）アミノＣ2〜Ｃ4アルコキシよりなる群から選ばれるアミノ置換Ｃ2〜Ｃ18アルコキシである
式（III）で示される化合物から形成された塩の陽イオンまたは陰イオン性部分で表される請求項１記載の組成物。
【請求項７】
式（III）で示された化合物から形成された塩の陽イオン性部分が、式（Ｃ）：
【化６】
2003049110.tif 000006
〔式中、Ｒa、ＲbおよびＲcの一つは、２−ヒドロキシエチルを表し、他のものは、水素、メチルもしくはエチルを表すか；または
Ｒa、ＲbおよびＲcは、互いに独立に、水素、またはＣ1〜Ｃ4アルキル、アリールＣ1〜Ｃ4アルキルおよび（Ｃ1〜Ｃ4アルキル）1〜3アリールよりなる群から選ばれる置換基を表す〕
で示されるエステル基で表される請求項５記載の組成物。
【請求項８】
エチレン性不飽和単量体の繰返し単位が、アミノ置換スチレン、（Ｃ1〜Ｃ4アルキル）1〜2アミノ置換スチレン、Ｎ−モノ（Ｃ1〜Ｃ4アルキル）1〜2アミノＣ2〜Ｃ4アルキル（メタ）アクリルアミドおよびＮ，Ｎ−ジ（Ｃ1〜Ｃ4アルキル）1〜2アミノＣ2〜Ｃ4アルキル（メタ）アクリルアミド、ビニルピリジンもしくはＣ1〜Ｃ4アルキル置換ビニルピリジン、ビニルイミダゾール、およびＣ1〜Ｃ4アルキル置換ビニルイミダゾールよりなる群から選ばれる、アミノ単量体の酸付加塩またはその第四級化によって形成された塩である請求項１記載の組成物。
【請求項９】
重合体ブロックＡおよびＢの一方に存在するイオン性基で置換されたエチレン性不飽和単量体の繰返し単位が、４−アミノスチレン；４−ジメチルアミノスチレン；２−ジメチルアミノエチルアクリレート（ＤＭＡＥＡ）、２−ジメチルアミノエチルメタクリレート（ＤＭＡＥＭＡ）、２−ジエチルアミノエチルアクリレート（ＤＥＡＥＡ）、２−ジエチルアミノエチルメタクリレート（ＤＥＡＥＭＡ）、２−tert−ブチルアミノエチルアクリレート（ｔ−ＢＡＥＡ）および２−tert−ブチルアミノエチルメタクリレート（ｔ−ＢＡＥＭＡ）よりなる群から選ばれるアミノアルキル（メタ）アクリレート；３−ジメチルアミノプロピルメタクリルアミド；４−ビニルピリジン；２−ビニルピリジン；または１−ビニルイミダゾールの、酸付加塩もしくはその第四級化によって形成された塩の、陽イオン性部分で表される請求項５記載の組成物。
【請求項１０】
塩形成成分（ii）が、単環、二環または三環のスルホン酸、カルボン酸もしくはホスホン酸；単環、二環または三環の基で置換された、脂肪族のスルホン酸、カルボン酸もしくはホスホン酸；単環、二環または三環の基で置換されたハロゲン化アルキル；および単環、二環または三環のスルホン酸のＣ1〜Ｃ4アルキルエステルよりなる群から選ばれる請求項１記載の組成物。
【請求項１１】
スルホン酸、カルボン酸またはホスホン酸中に存在する単環もしくは二環の基、または脂肪族のスルホン酸、カルボン酸もしくはホスホン酸の単環もしくは二環の置換基が、飽和または不飽和の単環もしくは二環脂肪族基；ヘテロ単環脂肪族またはヘテロ二環脂肪族基；炭素単環または炭素二環の芳香族基；部分的に飽和された炭素二環芳香族基；ヘテロ単環またはヘテロ二環芳香族基；ならびに部分的に飽和されたヘテロ二環芳香族基よりなる群から選ばれる請求項１０記載の組成物。
【請求項１２】
（ａ）（ｉ）式（Ｉ′）：
【化７】
2003049110.tif 000007
〔式中、Ｘは、連鎖末端基を表し；
ＡおよびＢは、スチレン、アクリルおよびメタクリル酸Ｃ1〜Ｃ24アルキルエステル、アクリルおよびメタクリル酸ヒドロキシＣ2〜Ｃ6アルキルエステル、アクリルおよびメタクリル酸ジヒドロキシＣ3〜Ｃ4アルキルエステル、ならびにエステル基がＣ1〜Ｃ24アルコキシ基で置換されていてよいポリＣ2〜Ｃ4アルキレングリコールエステル基を有するアクリルおよびメタクリル酸エステルよりなる群から選ばれる、エチレン性不飽和単量体の非イオン性繰返し単位で構成される異なる重合体ブロックを表し；重合体ブロックＡおよびＢの一方に存在するイオン性基で置換されたエチレン性不飽和単量体の繰返し単位が、式（III）：
【化８】
2003049110.tif 000008
（式中、Ｒ1は、水素またはＣ1〜Ｃ4アルキルを表し；
Ｒ2は、−ＯＨ；カルボキシル、スルホもしくはホスホノで置換されたＣ1〜Ｃ4アルキル；またはアミノＣ2〜Ｃ18アルコキシ、Ｃ1〜Ｃ4アルキルアミノＣ2〜Ｃ18アルコキシ、ジＣ1〜Ｃ4アルキルアミノＣ2〜Ｃ18アルコキシ、ヒドロキシＣ2〜Ｃ4アルキルアミノＣ2〜Ｃ18アルコキシ、およびＣ1〜Ｃ4アルキル（ヒドロキシＣ2〜Ｃ4アルキル）アミノＣ2〜Ｃ18アルコキシよりなる群から選ばれるアミノ置換Ｃ2〜Ｃ18アルコキシを表す）
で示される化合物から形成された塩の陽イオンまたは陰イオン性部分で表されるか、あるいは
重合体ブロックＡおよびＢの一方に存在するイオン性基で置換されたエチレン性不飽和単量体の繰返し単位が、アミノ置換スチレン、（Ｃ1〜Ｃ4アルキル）1〜2アミノ置換スチレン、Ｎ−モノ（Ｃ1〜Ｃ4アルキル）1〜2アミノＣ2〜Ｃ4アルキル（メタ）アクリルアミドおよびＮ，Ｎ−ジ（Ｃ1〜Ｃ4アルキル）1〜2アミノＣ2〜Ｃ4アルキル（メタ）アクリルアミドよりなる群から選ばれるアミノ単量体の酸付加塩であり；
ｘおよびｙは、０より大きい数を表し、かつ重合体ブロックＡおよびＢ中の単量体繰返し単位の数を規定し；
Ｒ1およびＲ2の一方は、Ｃ1〜Ｃ7アルキルもしくはヒドロキシＣ1〜Ｃ7アルキルを表し、他方は、Ｃ1〜Ｃ4アルキル、またはＣ1〜Ｃ4アルコキシカルボニルもしくはＣ1〜Ｃ4アルコキシで置換されたＣ1〜Ｃ4アルキル、またはヒドロキシＣ1〜Ｃ7アルキルを表すか；あるいは
Ｒ1およびＲ2は、双方とも、隣接するＣ原子と一緒に、Ｃ3〜Ｃ7シクロアルキルを表し；
Ｒ3およびＲ4は、独立に、Ｒ1およびＲ2として定義されたとおりであるか、または−Ｈを表し；
Ｒaは、水素、またはＣ1〜Ｃ4アルキル、ヒドロキシＣ1〜Ｃ4アルキル、Ｃ5〜Ｃ10アリール、Ｃ5〜Ｃ10アリールＣ1〜Ｃ4アルキル、Ｃ1〜Ｃ4アルキルＣ5〜Ｃ10アリール、シアノ、Ｃ1〜Ｃ4アルコキシカルボニル、Ｃ1〜Ｃ4アルカノイルオキシ、Ｃ1〜Ｃ4アルカノイルオキシＣ1〜Ｃ4アルキル、カルバモイル、モノ−もしくはジ−Ｃ1〜Ｃ4アルキルカルバモイル、モノ−もしくはジ−２−ヒドロキシエチルカルバモイル、アミジノ、２−イミダゾリル、１−ヒドロキシ−２−ヒドロキシメチル−２−プロピルカルバモイル、１，１−ジヒドロキシメチル−２−ヒドロキシカルバモイルおよび−Ｐ＝Ｏ（Ｏ−Ｃ1〜Ｃ4アルキル）2よりなる群から選ばれる置換基を表し；
Ｒbは、Ｒaについて定義されたとおりであるか；あるいは
ＲaおよびＲbは、一緒に、２価の基を表し、かつ窒素、酸素および硫黄よりなる群から選ばれる１〜３個の追加のヘテロ原子を有してよい、五、六、七または八員の脂肪族もしくは芳香族の複素環の基を形成する〕
で示されるブロック共重合体、ならびに
（ii）単環、二環または三環のスルホン酸、カルボン酸もしくはホスホン酸；単環、二環または三環の基で置換された、脂肪族のスルホン酸、カルボン酸もしくはホスホン酸；単環、二環または三環の基で置換されたハロゲン化アルキル；および単環、二環または三環のスルホン酸のＣ1〜Ｃ4アルキルエステルよりなる群から選ばれる塩形成成分
より本質的になる分散剤の組合せ０．１〜９９．９重量％と、
（ｂ）分散性無機または有機顔料粒子０．１〜９９．９重量％と
を含む請求項１記載の組成物。
【請求項１３】
（ａ）（ｉ）Ｘが、連鎖末端断片を表し；
重合体ブロックＡおよびＢの一方が、スチレン、アクリルおよびメタクリル酸−Ｃ1〜Ｃ24アルキルエステル、アクリルおよびメタクリル酸ヒドロキシＣ2〜Ｃ6アルキルエステル、アクリルおよびメタクリル酸ジヒドロキシＣ3〜Ｃ4アルキルエステル、およびエステル基がＣ1〜Ｃ24アルコキシ基で置換されていてよいポリＣ2〜Ｃ4アルキレングリコールエステル基を有するアクリルおよびメタクリル酸エステルよりなる群から選ばれるエチレン性不飽和単量体の繰返し単位で本質的に構成され；
重合体ブロックＡおよびＢの一方に存在するイオン性基で置換されたエチレン性不飽和単量体の繰返し単位が、４−アミノスチレン；４−ジメチルアミノスチレン；２−ジメチルアミノエチルアクリレート（ＤＭＡＥＡ）、２−ジメチルアミノエチルメタクリレート（ＤＭＡＥＭＡ）、２−ジエチルアミノエチルアクリレート（ＤＥＡＥＡ）、２−ジエチルアミノエチルメタクリレート（ＤＥＡＥＭＡ）、２−tert−ブチルアミノエチルアクリレート（ｔ−ＢＡＥＡ）および２−tert−ブチルアミノエチルメタクリレート（Ｔ−ＢＡＥＭＡ）よりなる群から選ばれるアミノアルキルアクリレートもしくはメタクリレート；３−ジメチルアミノプロピルメタクリルアミド；４−ビニルピリジン；２−ビニルピリジン；および１−ビニルイミダゾールの、酸付加塩もしくはその第四級化によって形成された塩の、陽イオン性部分で表され；
ｘおよびｙが、０より大きい数を表し、かつ重合体ブロックＡおよびＢ中の単量体繰返し単位の数を規定し；
Ｒ1およびＲ2の一方が、メチルを表し、他方が、メチルまたはエチルを表し；Ｒ3およびＲ4の一方が、メチルを表し、他方が、メチルまたはエチルを表し；
ＲaおよびＲbが、一緒に、部分式（Ｄ）：
【化９】
2003049110.tif 000009
〔式中、Ｒ5、Ｒ6、Ｒ7およびＲ8は、互いに独立に、水素、メチルまたはエチルを表し；
Ｒ9およびＲ10の一方は、互いに独立に、水素もしくは置換基を表すか、またはＲ9およびＲ10は、ともに置換基を表す〕
で示される基を表すブロック共重合体（Ｉ′）；ならびに
（ii）単環、二環または三環のスルホン酸、カルボン酸もしくはホスホン酸；単環、二環または三環の基で置換された、脂肪族のスルホン酸、カルボン酸もしくはホスホン酸；単環、二環または三環の基で置換されたハロゲン化アルキル；および単環、二環または三環のスルホン酸のＣ1〜Ｃ4アルキルエステルよりなる群から選ばれる塩形成成分
より本質的になる分散剤の組合せ０．１〜９９．９重量％と、
（ｂ）分散性無機または有機顔料粒子０．１〜９９．９重量％と
を含む請求項１記載の組成物。
【請求項１４】
（ａ′）Ｘ、Ａ、Ｂ、Ｙ、ｘおよびｙが、請求項１に定義されたとおりであるブロック共重合体（Ｉ）；および
（ｂ′）分散させた顔料粒子；
よりなる分散相と、
有機または水性のキャリヤー液体と
を含む顔料分散液。